(57)【要約】  本発明による方法では、セッタートレイ（１）内で前保温された卵は、これらのセッタートレイ（１）に入れて家禽舎に移送される。家禽舎では、断熱被覆材料の層（３）が、家禽舎の床上に、１つまたは複数のストリップで設けられる。被覆材料（３）は、特に、少なくとも２ｃｍの層厚さで敷設された敷材を含む。移送機械（４）の卵ピックアップ部材（９）のセットによって、前保温された卵は、家禽舎内でセッタートレイ（１）から取り除かれ、その後、これらは、移送機械（４）によって被覆材料（３）上に配置される。このようにして、卵を効率的に家禽舎内に置くことができ、卵に対する損傷のリスクを最小限にして、高い孵化率が確実にされる。
2019514410.tif 000002
【特許請求の範囲】
【請求項１】
セッタートレイ（１）内で前保温された卵を家禽舎に移送するための方法であって、前記前保温された卵は、前記セッタートレイ（１）に入れて前記家禽舎に移送され、
断熱被覆材料（３）の層が前記家禽舎内に設けられ、前記前保温された卵は、前記家禽舎内で、移送機械（４）の卵ピックアップ部材（９）のセットによって前記セッタートレイ（１）から移動され、その後、前記移送機械（４）によって前記被覆材料（３）上に配置されることを特徴とする、方法。
【請求項２】
前記前保温された卵が、前記卵ピックアップ部材（９）のセットによって前記被覆材料（３）上に配置されることを特徴とする、請求項１に記載の方法。
【請求項３】
前記卵が、前記セッタートレイ（１）内の所定の相関付けられた位置に配置され、前記卵は、前記被覆材料（３）上の、前記所定の相関付けられた位置とは異なる別の相関付けられた位置に、前記卵ピックアップ部材（９）の前記相関付けられた位置を、これらが前記卵を前記セッタートレイ（１）から前記別の相関付けられた位置に移動させた後に調整することによって配置されることを特徴とする、請求項１または２に記載の方法。
【請求項４】
前記卵が、前記所定の相関付けられた位置よりも遠くに、前記別の相関付けられた位置において互いから離間して配置されることを特徴とする、請求項３に記載の方法。
【請求項５】
前記セット内の卵ピックアップ部材（９）の数が、前記セッタートレイ（１）の１つまたは複数、特に前記セッタートレイ（１）の１つまたは２つ内の卵の数に対応し、前記セッタートレイ（１）の各々について、その中に含まれる前記卵は、前記卵ピックアップ部材（９）のセットによって前記セッタートレイから同時に移動されることを特徴とする、請求項１から４のいずれか一項に記載の方法。
【請求項６】
前記卵ピックアップ部材（９）のセットが、少なくとも３０個、好ましくは少なくとも５０個、より好ましくは少なくとも１００個の卵ピックアップ部材（９）を含むことを特徴とする、請求項１から５のいずれか一項に記載の方法。
【請求項７】
前記卵ピックアップ部材（９）が、吸引によって前記卵を掴むための吸引カップを備えることを特徴とする、請求項１から６のいずれか一項に記載の方法。
【請求項８】
前記卵が、前記移送機械（４）によって前記被覆材料（３）内のポケット内に配置され、前記ポケットは、好ましくは、前記移送機械（４）によって前記被覆材料（３）内に施され、前記卵は、好ましくは、直立した位置で前記ポケット内に配置されることを特徴とする、請求項１から７のいずれか一項に記載の方法。
【請求項９】
追加の断熱が、前記被覆材料（３）上に配置された前記卵の少なくとも一部分に施され、前記卵は、特にシートで覆われることを特徴とする、請求項１から８のいずれかに記載の方法。
【請求項１０】
前記卵が配置される前記被覆材料（３）の層が、少なくとも２ｃｍ、好ましくは少なくとも３ｃｍ、より好ましくは少なくとも４ｃｍの平均厚さ（ｄ）を有することを特徴とする、請求項１から９のいずれか一項に記載の方法。
【請求項１１】
前記卵が、前記被覆材料（３）上の少なくとも１つのストリップ内に配置され、前記ストリップの側面に沿って、前記被覆材料（３）の高さをこれらの側面に沿って増大させることによって、前記卵にさらなる断熱をもたらすことを特徴とする、請求項１から１０のいずれか一項に記載の方法。
【請求項１２】
前記被覆材料（３）が、敷材を含むことを特徴とする、請求項１から１１のいずれか一項に記載の方法。
【請求項１３】
前記被覆材料（３）が、前記家禽舎の床上に、好ましくは１つまたは複数のストリップで敷設されることを特徴とする、請求項１から１２のいずれか一項に記載の方法。
【請求項１４】
前記移送機械（４）が、前記卵を前記セッタートレイ（１）から前記被覆材料（３）に移送する間、前記家禽舎内で駆動し、前記移送機械（４）が、好ましくは、前記卵が前記被覆材料（３）上に配置されるごとに停止することを特徴とする、請求項１から１３のいずれか一項に記載の方法。
【請求項１５】
温度が前記家禽舎内の異なる場所で測定され、前記測定された温度が、前記家禽舎内のどこに前記卵が置かれるかを決定するために使用されることを特徴とする、請求項１から１４のいずれか一項に記載の方法。
【請求項１６】
前記家禽舎内で前保温された卵を掴むための卵ピックアップ部材（９）のセットを有する移送機械（４）であって、前記移送機械（４）が、前記家禽舎内で駆動し、前記卵ピックアップ部材（９）によってピックアップされた前記前保温された卵を、前記家禽舎内の断熱被覆材料（３）の層上に配置するようにさらに構成される、移送機械。
【請求項１７】
前記移送機械には、前記家禽舎内で駆動するための車輪（１４）が設けられることを特徴とする、請求項１６に記載の移送機械。
【請求項１８】
前記移送機械が、自走式であることを特徴とする、請求項１６または１７に記載の移送機械。
【請求項１９】
前記移送機械が、前記家禽舎の床上で駆動し、前記前保温された卵を前記家禽舎の床上に配置するように構成されることを特徴とする、請求項１６から１８のいずれか一項に記載の移送機械。
【請求項２０】
前記卵ピックアップ部材（９）が、前記前保温された卵を前記断熱被覆材料（３）の層上に配置するために設けられることを特徴とする、請求項１６から１９のいずれか一項に記載の移送機械。
【発明の詳細な説明】
【技術分野】
【０００１】
本発明は、家禽舎、特にブロイラーハウスに卵を移送する方法に関し、前記卵は、セッタートレイ内で前保温される。前保温された卵は、セッタートレイ自体に入れて家禽舎に移送される。その後、雛が家禽舎内で孵化し、これは鳥類の繁栄（ｗｅｌｆａｒｅ）を促進する。最終的には、雛はもはや搬送される必要はなく、また、すぐに飼料および水が自由に与えられる。
【背景技術】
【０００２】
実際、前保温された卵が同時に孵化しないという問題が生じている。例えば、ニワトリの場合、１９日後に既に孵化している卵が存在するが、一部の卵は２１日後にしか孵化しない。卵が孵化場内で孵化し、１日たった雛が家禽舎に搬送される場合、これは雛の一部が２〜３日間、飼料や飲み物無しでいることを意味する。雛の搬送およびその準備中、雛はまた、密接に詰め込まれる。これは鳥類繁栄に悪影響を与えるだけでなく、雛の成長および発達、ならびに病気のなり易さにも悪影響を及ぼす。
【０００３】
これを避けるために、特に１８日間前保温された、前保温された卵が家禽舎に持ち込まれ、次いでここで卵を孵化させることができる新しいシステムが、開発された。いわゆるＸトレック（Ｘ−Ｔｒｅｃｋ）システムでは、前保温された卵は、それらが配置されているセッタートレイと共に、家禽舎内に吊り下げられた搬送システム上に置かれる。セッタートレイ内の卵の温度は、次いで、家禽舎内の搬送システムをより暖かいところの高さまで上昇させるか、またはこれをより低温であるところの高さまで下降させることによって制御され得る。特に、卵の孵化に近づくと、卵内の雛の活性が増すため、卵の温度は上昇する。搬送システムは、次いで、家禽舎の床からわずかに高いところに配置され、それにより、雛は搬送システムから、家禽舎床上に飛び出すことができる。いわゆる「パティオシステム」によって、セッタートレイ用のいくつかの搬送システムが互いの上方に設けられ、その各々は、その下のコンベヤーベルトが敷材で覆われており、この上で雛は、屠殺の準備ができるまで生きることができる。様々なレベルの通気が、特許文献１に記載されているような水平空気流によって行われる。このパティオシステムの利点は、家禽舎に必要なスペースが少なくて済むことであるが、このシステムは、当然ながら、Ｘトレックシステムよりもさらに高価である。
【０００４】
特許文献２は、前保温された卵を含むセッタートレイを家禽舎内の飼育システム上に置くＸトレックシステムに関する。この特許出願によれば、家禽舎床上に置かれた卵の孵化率はより低くなるため、飼育システムは卵の温度を制御できるようにする必要がある。
【０００５】
コスト、メンテナンスの複雑さ、およびシステムの清掃に伴う追加作業を考慮すると、これらの知られているシステムは、実際には限られた規模でしか適用されない。一日たった雛はセッタートレイ内で孵化し、しばらくの間歩き続けるので、セッタートレイは、新しく孵化したヒヨコの糞尿によって汚される。結果として、細菌、特にサルモネラ菌のような有害な細菌によるセッタートレイの感染のリスクが実際にある。汚染のリスクならびに両方のシステムのコストにより、家禽農家がそのようなシステムを家禽舎に置く傾向はない。設定中の卵の温度を制御するのに必要とされる高い開度を有するセッタートレイの複雑な設計により、セッタートレイをきれいにすることも難しい。特に、セッタートレイは、感染、または例えばサルモネラ菌に感染する可能性がある糞尿が除去されにくいコーナおよび縁を多く有する。雛がセッタートレイ自体内で孵化することを可能にするさらなる欠点は、その大きな開度により、鳥類の繁栄に問題があることである。実際、新しく孵化した雛は、必要な空気の流れに合わせて開度を高く維持しながら卵を保持するためにセッタートレイ内に存在する多くのコーナおよび縁で傷つく可能性がある。その結果、雛はセッタートレイに詰まってしまう可能性がある。
【０００６】
特許文献３では、家禽舎内で卵を孵化させるための別のシステムが記載されている。この特許に概略的に示されているように、前保温された卵はセッタートレイ内で孵化されず、前保温された卵は、敷材の層上の紙シート上に敷せられる。この紙シート上の新たに孵化した雛にも飼料および水が提供される。卵の温度を制御し続けるために、卵は、閉じたカートに入れるか、または卵が家禽舎の床自体に置かれたときに卵を覆ってカバーが載せられる。
【０００７】
前保温された卵を、敷材層の上部の紙シート上に置くことの可能性が特許文献３に示されているが、これは、特にパティオシステムおよびＸトレックシステムでは実行されることはなかった。家禽舎では、数千、または数万もの、例えば４００００の前保温された卵を適所に効率的に置かなければならず、前保温された卵を所定の場所に置く時間はほとんどない。手作業のコストを鑑みて、卵を家禽舎内に緩く載せられなければならない場合、これは、すばやく行う必要があり、それによって、とりわけ、家禽舎内の高温によって非常にやりづらいだけではなく、その結果、卵に損傷を与えるリスクも高くなる。孵化時間に近づくにつれて、卵殻はさらにいっそう脆くなるので、特に卵殻に毛髪状割れが形成されないように、卵は丁寧に取り扱わなければならない。毛髪状割れが生じた場合、卵内の雛は速く乾燥し、それによってこれらを弱め、感染によりかかり易くする。その結果、孵化する卵の数が少なくなり、卵に毛髪状割れがある場合は一般的に実質的に１５％少なくなり、細菌感染と戦うためにはより多くの抗生物質処理が必要とされる。そのような抗生物質処理は、近年圧迫されており、可能な限り避けるべきである。
【０００８】
特許文献４は、セッタートレイを介した汚染の伝播を防止するために、前保温された卵が家禽舎に運ばれる前に、この卵をセッタートレイから段ボール容器に移送することを提案する。
【０００９】
したがって、前保温された卵は、これらの段ボール容器に入れて孵化場から家禽舎まで搬送される。このシステムは、実際に「Ｏｎｅ２Ｂｏｒｎ」という名前で使用されている。段ボール容器は、卵の通気用およびそれらの温度を制御するための追加の穴を含む卵箱からなる。容器は段ボールの脚部上に立つので、卵は家禽舎の床に直接に存在しない。
【００１０】
段ボール容器は生分解性であるという事実にもかかわらず、これらは、取り除く必要がある余分な廃物を家禽舎内に生み出す。段ボール容器の別の欠点は、これらが折り畳まれた形態で配達され、容器を設置するために相当量の手作業が必要であることである。したがって、段ボール容器を購入するだけでなく、これらを設置することは、追加の費用を伴う。孵化場自体においても、卵は依然として段ボール容器に移送される必要がある。そのような移送ステップは、毎回、特に、卵が、この目的のために卵箱に設けられたポケット内に配置される場合、約０．５％のさらなる平均損失を引き起こすことが実際に見出されている。実際、これらのポケットに関連して常に卵が完全に正確に配置されるわけではないので、卵は、ポケット内に卵を置いたときにポケットの壁と接触することになる。卵殻の脆弱性により、これは卵殻にかなりの量の毛髪状割れを引き起こす。
【先行技術文献】
【特許文献】
【００１１】
【特許文献１】オランダ国特許第１０１２４５３号明細書
【特許文献２】欧州特許第２８７３３１９号明細書
【特許文献３】欧州特許第１４１４２９１号明細書
【特許文献４】国際公開第２０１６／０５３０８８号
【発明の概要】
【発明が解決しようとする課題】
【００１２】
したがって、本発明の目的は、前保温された卵を家禽舎に移送する新しい方法であって、卵をセッタートレイ自体に入れて家禽舎に移送するため、孵化場内の移送ステップおよび関連するさらなる損失のリスクが回避される、方法を提供することである。この新しい方法の別の目的は、家禽舎内の卵の効率的な配置、および家禽舎内の卵からの一日たった健康な雛の高い成果を維持しながら、セッタートレイを介して感染を伝達するリスクを回避することである。
【課題を解決するための手段】
【００１３】
この目的のために、本発明による方法は、断熱被覆材料の層が家禽舎内に設けられ、前保温された卵が、家禽舎内で移送機械の卵ピックアップ部材のセットによってセッタートレイから取り除かれ、その後、移送機械によって前記被覆材料上に配置されることを特徴とする。被覆材料は、好ましくは、特に家禽舎床上に置かれた敷材を含む。
【００１４】
本発明によれば、卵はセッタートレイ内で孵化されず、家禽舎内の卵はセッタートレイから、家禽舎内に設けられた被覆材料に直接移送される。この被覆材料は、特に、家禽舎の床に所望の層の厚さで１つまたは複数のストリップで敷設された敷材によって形成される。したがって、セッタートレイは、１日たった雛によって生成される糞尿によって汚されなくてよい。実際には、家禽舎は、新たに雛が生まれる前ごとに消毒され、新しい敷材層が提供されるため、セッタートレイが感染するリスクもない。セッタートレイと家禽舎内の材料との物理的接触も容易に回避することができる。さらに、セッタートレイの消毒は、セッタートレイ自体が汚れていないので非常に簡単である。
【００１５】
本発明による方法の重要な利点は、さらに、卵への損傷、特に毛髪状割れの形成を避け易く、この点で、卵に対する損傷のリスクは、卵がＯｎｅ２ｂｏｒｎシステムにおいて段ボール容器に移送される必要がある場合よりも特にさらに小さくなり得ることである。結局、本発明による方法では、卵は、移送機械によってセッタートレイから取り出され、例えば段ボール容器と比較して、または前保温された卵が孵化場において定置式移送機械を用いて移送される孵化トレイの底部とも比較して、比較的柔らかい被覆材料上に配置される。本発明による方法では、１回の移送ステップ、すなわち、前保温された卵のセッタートレイから家禽舎床上の被覆材料への移送のみが、必要とされる。この被覆材料は既存の孵化トレイの底部より柔らかいので、卵に対する損傷のリスクは実際にはさらに小さくなる。これは特に、被覆材料が敷材を含む場合に当てはまる。卵を移送機械によってセッタートレイから家禽舎床上の被覆材料に移送することの別の利点は、移送機械が卵の全セットを同時にピックアップしてこれらを敷材層上に配置することができ、それによって１時間当たり数千から数万個の卵を、これらに損傷を与えることなく、移送機械を用いて敷材層に容易に移送できることである。
【００１６】
本発明によれば、特許文献２に記載されているものに対して、家禽舎内の卵の孵化率は、前保温された卵が家禽舎の床上に載せられた場合の孵化場における卵の孵化率よりまさるとも劣らないことが、さらに見出された。特許文献２に記載された悪い結果は、おそらく、卵が、必要とされる敷材の量を制限するために最小限の厚さしか有さない、通常の敷材層上に載せられたという事実によるものである。しかし、本発明による方法では、より良好な断熱が、卵と家禽舎の床との間の卵の場所、例えば、断熱被覆材料のより厚い層において提供され、それにより卵に対する損傷のリスクも同時に低減する。
【００１７】
好ましくは、被覆材料は、１つまたは複数のストリップで家禽舎床上に置かれ、卵はこれらのストリップ上に置かれる。
【００１８】
被覆材料は、卵の場所において必要な層の厚さで敷設されるだけでいいので、限られた量の追加の被覆材料しか卵の適切な断熱には必要とされない。この被覆材料は、特に、家禽舎の床全体を覆う敷材と同じまたは異なる敷材を含むことができる。
【００１９】
本発明による方法の特定の実施形態では、卵が配置される被覆材料の層は、少なくとも２ｃｍ、好ましくは少なくとも３ｃｍ、より好ましくは少なくとも４ｃｍの平均厚さを有する。
【００２０】
これらの厚さは、家禽舎内に設けられた通常の厚さの敷材層よりもかなり大きい。より厚い層のより良好な断熱定格は、孵化率の低下を回避することを可能にする。
【００２１】
本発明による方法の好ましい実施形態では、卵は、前記移送機械によって被覆材料内のポケット内に配置され、前記ポケットは、好ましくは、前記移送機械によって被覆材料中に施され、卵は、好ましくは、ポケット内に直立した位置で、卵の尖った端部を下向きにして置かれる。
【００２２】
卵を被覆材料のポケット内に置くことにより、可能な限り高い孵化率を得るために、卵を所望の位置、特にその尖った端部を下にして置くことができる。このようにして、卵の断熱を制御することもできる。卵が被覆材料内に置かれるのが深くなるほど、これらは大気からより断熱されることになる。
【００２３】
必要であれば、追加の断熱が、例えば追加量の被覆材料またはシート、特に卵の孵化の後、または卵の孵化に近づくときに容易に取り除くことができる紙シートで卵に施され得る。
【００２４】
本発明による方法の別の好ましい実施形態では、前保温された卵は、セッタートレイ内の所定の相関付けられた位置に配置され、卵は、被覆材料上の、前記所定の相関付けられた位置とは異なる別の相関付けられた位置に、前記卵ピックアップ部材の相関付けられた位置を、これらが卵をセッタートレイから前記別の相互付けられた位置に移動させた後に調整することによって配置される。特に、前記別の相関付けられた位置では、卵は、前記所定の相関付けられた位置よりも遠くに離れる。
【００２５】
本発明によれば、卵間の距離は、その温度に有意な影響を及ぼすことが見出された。例えば、卵のストリップの外側の列の卵は、ストリップの中央に配置される卵よりも低い温度を有する。卵を互いから幾分大きな距離を離して置くことにより、卵の温度が孵化時間に向かって高くなり過ぎることを防ぐことができる。
【００２６】
本発明による方法のさらに別の好ましい実施形態では、卵ピックアップ部材の前記セットは、少なくとも３０個、好ましくは少なくとも５０個、より好ましくは少なくとも１００個の卵ピックアップ部材を備える。
【００２７】
移送機械により多くの数の卵ピックアップ部材を設けることによって、その容量を増大させることができ、それにより、必要な卵数を短時間で家禽舎内に置くことができるようになる。
【００２８】
本発明はさらに、移送機械、特に本発明による方法で使用するための移送機械に関し、前記移送機械は、家禽舎内で前保温された卵をピックアップするための卵ピックアップ部材のセットを有し、この移送機械は、さらに家禽舎内で駆動するために、また、家禽舎内の断熱被覆材料の層上に卵ピックアップ部材によってピックアップされた前保温された卵を配置するプロセスにおいて提供される。卵ピックアップ部材は、具体的には、前保温された卵をセッタートレイから取り除くために設けられる。
【００２９】
好ましくは、移送機械には、家禽舎内で駆動するための車輪が設けられる。
【００３０】
本発明による移送機械の好ましい実施形態では、これは、自走式である。
【００３１】
本発明による移送機械のさらに好ましい実施形態では、移送機械は、家禽舎の床上で駆動し、前保温された卵を家禽舎の床上に配置するために提供される。
【００３２】
本発明のさらなる利点および特徴は、本発明による方法およびそれに用いられる移送機械のいくつかの好ましい実施形態の以下の説明から明らかになるであろう。しかし、この説明は一例としてのみ与えられており、特許請求の範囲によって規定されるような保護の範囲を限定するようには意図されない。本説明に与えられた参照符号は付属の図に関する。
【図面の簡単な説明】
【００３３】
【図１】敷材のストリップを家禽舎の床に敷設し、前保温された卵をセッタートレイから敷設された敷材のストリップ上に移送するために、本発明による方法で使用することができる移送機械の概略的な斜視図である。
【発明を実施するための形態】
【００３４】
一般に、本発明は、セッタートレイ１内で前保温された卵を家禽舎に移送するための方法に関する。家禽舎は特にブロイラーハウスであるが、家禽舎は、肉ではなく卵、例えば消費卵を生産するために使用することができるが、特に孵化されるよう意図されたいわゆる「雌親」の受精卵を生み出すために使用することもできる。「家禽舎」という用語は、広い意味で理解されなければならず、肉の生産および卵の生産の両方のために家禽が保管されているすべての空間を含む。したがって、「家禽舎」という用語は、通常は１階しか有さない通常の家禽舎を意味すると解釈され、さらには複数の階を持つことができ、特にいわゆる垂直農法に使用されるものも意味すると解釈される。
【００３５】
ニワトリの卵の場合、卵は、好ましくは、約１８日間前保温された後に家禽舎に移送される。最初の卵は１９日後にしか孵化しないので、搬送中または家禽舎内での移送中に卵が既に孵化するリスクはない。
【００３６】
本発明による方法は、他のタイプの家禽の卵、例えば、シチメンチョウ、ホロホロ鳥、アヒル、ガチョウ、ウズラ、ハト、キジ、パトロン（ｐａｔｒｏｎ）および他の家禽の卵にも適用することができる。
【００３７】
実際には、鶏卵を保温するための様々なセッタートレイが存在する。この一例は、Ｐｅｔｅｒｓｉｍｅ社の標準的なセッタートレイ「ＴｒａｙＢ００５６８」である。このセッタートレイは、１５個の卵の１０列、すなわち合計１５０個の卵に対して提供される。
【００３８】
家禽舎への卵の搬送のために、セッタートレイ１は車輪１５を有するカート２内に置かれ、トラックによって搬送される。セッタートレイによって卵を搬送することの利点は、卵に一定量の損傷を常に引き起こす移送ステップが必要でないことである。
【００３９】
本発明によれば、断熱被覆材料３の層が、家禽舎内に設けられ、この層上に前保温された卵が、移送機械４によってセッタートレイ１から配置される。断熱被覆材料３は、家禽舎の床上に特に１つまたは複数のストリップで敷設される。断熱被覆材料３は、マット、例えばプラスチック発泡体製のマットによって形成することができるが、この目的のために、例えば亜麻ストロー、おがくず、木屑などの敷材を使用することが好ましい。
【００４０】
図１には、卵の移送に使用できる移送機械４の可能な実施形態が概略的に示されている。この機械４は、矢印５の方向に卵を移動させる間、家禽舎内で前方に駆動する車輪１４が設けられた自走式機械である。移送機械４の正面には、結合アーム６が設けられており、機械４の左手側において、セッタートレイ１を有するカート２の１つをこの結合アーム６に結合させることができ、それにより、カートは、家禽舎内で移送機械４と共に進行する。移送機械４の上部には、機械４のオペレータがセッタートレイ１を配置しなければならないベルトコンベア７（またはローラーシステム）が設けられている。このベルトコンベア７により、機械４上のセッタートレイ１は、矢印１０の方向にその後方に搬送される。ロボットアーム８が機械４にさらに設けられ、その終端には、卵ピックアップ部材９のセットが取り付けられている。これらの卵ピックアップ部材９によって、卵は、セッタートレイ１から取り除かれ、その後、被覆材料３上に配置される。セッタートレイ１から卵を取り除く際には、ベルトコンベア７を停止させて卵をできるだけ慎重にピックアップすることが好ましい。卵を被覆材料３上に置く際には、移送機械４を停止させて、卵をできるだけ慎重に被覆材料３上に置くことがさらに好ましい。あるいは、卵ピックアップ部材５は、卵を被覆材料３上に直接配置するのではなく、例えば、紙ロール上に置くことも可能であり、紙ロールは、機械４から移送され、卵がその上に置かれた後に被覆材料３上に置かれる。機械の後部では、オペレータは、空のセッタートレイ１を取り除き、これらをカート２内に戻さなければならない。したがって、このすべての間、セッタートレイ１は、家禽舎またはその中に置かれた敷材に接触しないので、セッタートレイの汚染のリスクはない。
【００４１】
移送機械４の卵ピックアップ部材９は、例えば、吸引によって卵を掴むことができる吸引カップを有する。代替的に、卵はまた、バネ荷重の指によって掴むこともできるが、卵への損傷のリスクが最も少ないことから、吸引カップが好ましい。実際には、そのような卵ピックアップ部材９は、孵化場に使用される定置式移送機械において、前保温された卵をセッタートレイ１から孵化トレイに移すために既に使用されている。
【００４２】
この一例は、１５０個の吸引カップを有するＰｅｔｅｒｓｉｍｅ  Ｔｒａｎｓｆｅｒｒｉｎｇ  Ｍａｃｈｉｎｅであり、これは、１５０個の卵を１つのセッタートレイから孵化トレイに一度に移送することを可能にする。
【００４３】
この知られている移送機械と比較して、図１に示す移送機械のロボットアーム８は、より多くの移動オプションを有し、より長いものであり、それにより、このロボットアーム８を用いて、卵をセッタートレイ１から持ち上げることができるだけでなく、これらを家禽舎の床上の被覆材料３上に配置することもできる。ロボットアーム８によって達成されるより大きな変位により、機械４は、好ましくは、２つ（またはそれ以上）のセッタートレイ１内の卵の数に対応する卵ピックアップ部材９のセットを備える。その結果、機械の能力は、例えば１時間当たり４５，０００個の卵まで増大することができる。
【００４４】
被覆材料３上の卵間の距離を制御できるように、卵ピックアップ部材９は、好ましくは、これらの相関付けられた位置を、卵をセッタートレイ１から持ち上げた後に調整できるように、互いに対して移動可能である。このようにして、卵の温度上昇を孵化時間に向かってより良好に制御できるように、卵を被覆材料３上で互いからより大きな距離を離して配置することが具体的に可能である。卵は、場合によっては、例えば、４個のグループのなどのいくつかのグループで保持することもでき、卵のこれらのグループ間の距離を制御することができる。
【００４５】
卵を十分に暖かく保つために、卵の下の家禽舎の床に敷設された被覆材料３の層は、好ましくは、少なくとも２ｃｍ、より好ましくは少なくとも３ｃｍ、最も好ましくは少なくとも４ｃｍの平均厚さを有さなければならない。卵をこの被覆材料３に移送した後、例えば、卵を紙のシートまたはプラスチックフィルムなどのシートで覆うことにより、追加の断熱がもたらされてよい。例えば、卵にさらなる敷材を振りかけることも可能である。しかし、シートの使用は、卵の温度が孵化時間に向けて高くなり過ぎることを回避するために、卵が孵化しようとしているときに再び取り除くことができるという利点を有する。
【００４６】
卵の温度を制御するために、卵の数を監視することが好ましい。家禽舎内の温度は、卵の温度に合わせて調整され得る。卵殻の温度を測定することは、例えば赤外線温度計を用いて手動で行うことができるが、ＯｖｏＳｃａｎ（商標）システムなどの卵殻の温度を監視するための自動システムも存在する。これは、現在、孵化場の孵化器の温度を監視および制御するために使用されており、したがって、家禽舎の雰囲気制御システムに適合させるだけでよい。
【００４７】
被覆材料３内には、その後卵が置かれるポケットが設けられ得る。これらのポケットは、より高い孵化率を得るために、卵をその尖った端部を下にして直立した位置に置くことを可能にする。ポケットの深さも、卵の断熱に影響を及ぼす。ポケットは、好ましくは、移送機械４によって被覆材料内に作りだされる。これは、例えば、機械４を前進させながら、被覆材料に押し込まれるスパイクを有するローラーを用いて簡単に行うことができる。
【００４８】
被覆材料３が家禽舎の床上に展開された発泡体ロールを含む場合、事前に卵用のポケットを設けておくこともできる。所望であれば、機械の上部の卵をこれらのポケットに移送することができ、その後、発泡体を、例えば、傾斜した表面を介して家禽舎の床上に降ろす。
【００４９】
卵が被覆材料上の１つまたは複数のストリップ内に配置される場合、これらのストリップの側面に沿ってより多くの被覆材料を提供することによってこれらのストリップの側面に沿ってさらなる断熱を卵にもたらすことが好ましい。敷材の場合、これは、高さの増加を得るために、側面に沿って一緒に一掃することができる。これは、場合によっては卵が移送された後に行うことができ、それにより、敷材を卵の外側列まで一掃することができる。
【００５０】
卵の下に置かれた敷材は、家禽舎の床の他の部分が覆われる敷材と同じであることができるが、同じでなくてもよい。好ましくは、家禽舎の床全体を最初に敷材の薄い層で覆い、その後、その上部に、敷材（同じでも異なっていてもよい）または被覆材料の追加の層を、卵が配置される場所に敷設する。
【００５１】
卵が載せられる被覆材料３の１つまたは複数のストリップは、事前に家禽舎内に置くことができる。しかし、図１に示す実施形態では、被覆材料３もまた、移送機械４を用いて家禽舎内に敷設される。この目的のために、被覆材料３を敷設するための装置１１が、機械４の右側の結合アーム６に結合される。被覆材料３が発泡体のロールである場合、これは単にホルダとすることができ、これによってこのロールは家禽舎床上に展開される。被覆材料３が敷材を含む場合、装置１１は散布器であり、これによって敷材を所望の厚さｄで家禽舎の床に散布する。これは、例えば、スプレッダの車輪１３によって駆動されるロータ１２によって行われる。好ましくは、スプレッダは、家禽舎の床に散布された敷材の量を制御することができるコントロールを有する。例えば、このコントロールは、車輪１３の回転数とロータ１２の回転数との間の関係を調整することができる、スプレッダの車輪１３とロータ１２との間の制御可能な結合を含むことができる。
【００５２】
上述の移送機械４は、卵を家禽舎内の任意の場所に置くことを可能にする。暖房コストを下げるためには、家禽舎内の最も高温であるところを事前に測定することが好ましい。これは、暖房システムだけでなく、風向きにも依存し得る。次に、測定された温度に基づいて、卵がどこに載せられるか、すなわち孵化されるべき卵に対して可能な限り最適な温度である場所が決定され得る。通常、これは、家禽舎内の冷却が必要でない限り、家禽舎内で最も高温の場所にあるが、この冷却は非常に例外である。
【図１】
2019514410.tif 000003
【国際調査報告】
2019514410.tif 000004
2019514410.tif 000005